(57)【特許請求の範囲】
【請求項１】
バーベキューコンロの上向き開口縁に着脱自在な挟着部に、当該開口縁に上方から下向きに当接して位置決め可能な水平基準面を設け、該挟着部におけるバーベキューコンロへ装着中に開口縁よりも外がわとなる適所に、１個または複数個の垂直孔を有する支持部を設けた脱着金具と、該脱着金具支持部垂直孔に脱抜自在に差込み可能とした垂直柱の上端がわから、バーベキューコンロへの装着中に開口内上に配置可能なアームを延伸した支持骨格と、該支持骨格アーム先端に、水平状に装着したグリル部とを有していて、バーベキューコンロへ装着中にグリル部を、開口中央上より外がわに垂直軸心回りに水平移動可能とするようにした回転機構を、当該支持骨格と支持部との間か、または、支持骨格とグリル部との間かの少なくとも何れか一方に設けると共に、グリル部の支持高さを段階的に調節可能とするようにした高さ調節機構を、該支持骨格と脱着金具支持部との間に組み込んでなるものとしたことを特徴とするバーベキュー網装置。
【請求項２】
本体バイス、移動バイス、およびそれらを締め付け操作可能とするナット部・締めネジからなり、バーベキューコンロの上向き開口縁に着脱自在とした挟着部に、当該開口縁に上方から下向きに当接して位置決め可能な水平基準面を設け、該挟着部におけるバーベキューコンロへ装着中に開口縁よりも外がわとなる適所に、１個または複数個の垂直孔を有する支持部を設けた脱着金具と、該脱着金具支持部垂直孔に脱抜自在に差込み可能とした垂直柱の上端がわから、バーベキューコンロへの装着中に開口内上に配置可能なアームを延伸した支持骨格と、該支持骨格アーム先端に、水平状に装着したグリル部とを有していて、バーベキューコンロへ装着中にグリル部を、開口中央上より外がわに垂直軸心回りに水平移動可能とするようにした回転機構を、当該支持部垂直孔と、支持骨格垂直柱の全体か、または、垂直柱の下端がわ所定範囲かの何れか一方からなる垂直軸との組合せとすると共に、グリル部の支持高さを段階的に調節可能とするようにした高さ調節機構を、該支持骨格垂直柱の中途適所より下向き十手状に分岐した垂枝と、脱着金具支持部の垂直孔回り垂枝対応半径位置の１箇所に、該垂枝を貫通可能に配した調節孔と、同垂直孔回り垂枝対応半径位置の他１箇所に、該垂枝の下端に嵌合可能に配した調節溝とを有するものとしたことを特徴とするバーベキュー網装置。
【請求項３】
脱着金具支持部が２個以上の垂直孔を有し、１個の垂直孔に支持骨格垂直柱の全体を垂直軸として差込み装着し、他の１個の垂直孔に他の支持骨格垂直柱の下端がわ所定範囲に設けた垂直軸を差込み装着し、さらに他の１個の垂直孔を有する場合には、さらに他の支持骨格垂直柱の長さを異なるものとし、その下端がわ所定長範囲に設けた垂直軸を差込み装着し、各支持骨格アーム先端に、水平状に装着した各グリル部支持の高低差を、各垂直柱の長さに応じて異なり、互いに上下高低差をもってバーベキューコンロの開口上に支持可能なものとしてなる、請求項１または２何れか一記載のバーベキュー網装置。
【請求項４】
回転機構が、脱着金具垂直孔と、支持骨格垂直柱の全体を該脱着金具垂直孔に差込み可能な形状・寸法とするか、または、支持骨格垂直柱の下端がわ所定範囲を該垂直孔に差込み可能な形状・寸法とするかの何れか一方とした垂直軸とからなるものとし、脱着金具垂直孔に上方から下向きに着脱自在に差込み装着した垂直軸を中心に、支持骨格アームおよびグリル部を垂直軸心回りに回動自在としてなるものとした、請求項１ないし３何れか一記載のバーベキュー網装置。
【請求項５】
本体バイスの上部にナット部を設け、該本体バイスに対し、上端がナット部に対峙するレバー部を軸着し、該レバー部下端に移動バイスを一体化し、該ナット部に中途部を螺合すると共に、先端を該レバー部上端に当接して、螺合に従い該本体バイスと移動バイスとを近接するよう締め付け可能とする締めネジからなり、バーベキューコンロの上向き開口縁に上方から下向きに着脱自在とした挟着部を有し、該挟着部に、バーベキューコンロの上向き開口縁に上方から下向きに当接して位置決め可能な水平基準面を設け、該挟着部におけるバーベキューコンロへ装着中に開口縁よりも外がわとなる適宜間隔を隔てた適所に、複数個の垂直孔を有する支持部を設けた脱着金具と、該脱着金具支持部各垂直孔に脱抜自在に差込み可能とした複数本の垂直柱の各上端がわから、バーベキューコンロへの装着中に開口内上に配置可能なアームを延伸し、各アーム先端同士を結合し、平面形Ｖ字状、Ｙ字状または二等辺三角形状の何れか一つとした支持骨格と、該支持骨格各アーム先端に、水平状に装着したグリル部とを有していて、バーベキューコンロへ装着中にグリル部を、開口中央上より外がわに垂直軸心回りに水平移動可能とするようにした回転機構を、当該支持骨格とグリル部との間に設けると共に、グリル部の支持高さを段階的に調節可能とするようにした高さ調節機構を、該支持骨格と脱着金具支持部との間に組み込んでなるものとしたことを特徴とするバーベキュー網装置。
【請求項６】
本体バイスの上部にナット部を設け、該本体バイスに対し、上端がナット部に対峙するレバー部を軸着し、該レバー部下端に移動バイスを一体化し、該ナット部に中途部を螺合すると共に、先端を該レバー部上端に当接して、螺合に従い該本体バイスと移動バイスとを近接するよう締め付け可能とする締めネジからなり、バーベキューコンロの上向き開口縁に上方から下向きに着脱自在とした挟着部を有し、該挟着部に、バーベキューコンロの上向き開口縁に上方から下向きに当接して位置決め可能な水平基準面を設け、該挟着部におけるバーベキューコンロへ装着中に開口縁よりも外がわとなる適宜間隔を隔てた適所に、複数個の垂直孔を有する支持部を設けた脱着金具と、該脱着金具支持部各垂直孔に脱抜自在に差込み可能とした複数本の垂直柱の各上端がわから、バーベキューコンロへの装着中に開口内上に配置可能にアームを延伸し、各アーム先端同士を結合し、平面形Ｖ字状、Ｙ字状または二等辺三角形状の何れか一つとした支持骨格と、該支持骨格各アーム先端に、水平状に装着したグリル部とを有していて、バーベキューコンロへ装着中にグリル部を、開口中央上より外がわに垂直軸心回りに水平移動可能とする回転機構を、当該支持骨格とグリル部との間に設けると共に、脱着金具支持部のグリル部の支持高さを段階的に調節可能とする高さ調節機構を、該支持骨格の各垂直柱よりも後部に、水平軸回りに上下反転状に回動可能とするよう設けた高さ規制部と、脱着金具支持部の該高さ規制部に対応する後部に設けた水平支持部とからなるものとしたことを特徴とするバーベキュー網装置。
【請求項７】
回転機構が、支持骨格アーム先端に一体化した垂直軸または垂直孔の何れか一方と、グリル部適所に設けた垂直軸または垂直孔の何れか他方との組合せとし、グリル部が支持骨格アーム先端の垂直軸および垂直孔を同心状に組み合わせた中心回りに回動自在としてなるものとした、請求項１ないし６何れか一記載のバーベキュー網装置。
【請求項８】
支持骨格が、垂直柱の上部適所、および／または、アーム基端寄りの上部適所に、脱抜操作や回転操作用となる操作ハンドルを設けてなるものとした、請求項１ないし７何れか一記載のバーベキュー網装置。
【請求項９】
支持脚部上に、燃料を収容且つ燃焼可能な器状の耐熱性コンロ本体を有し、該コンロ本体の上向き開口縁の任意選択した適所に対して、請求項１ないし８何れか一記載のバーベキュー網装置を、着脱自在に組み込んでなることを特徴とするバーベキューコンロ。                          
【発明の詳細な説明】
【技術分野】
【０００１】
この発明は、バーベキュー用のコンロやグリル、およびその他の加熱調理用器具に関連するものであり、特に、加熱調理器具に組み込む焼き網装置類、およびそれらを組み込んでなる加熱調理用器具を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                      
【背景技術】
【０００２】
（着目点）
薪や木炭、石炭、コークス、練炭などを燃料とするバーベキューコンロなどは、固形状燃料を燃焼させるため着火した後の火力の調節が難しく、焼き網や鉄板などの上に載せて調理している食品類が、焦げたり、焼損してしまわないよう、焼け加減に注意し、所望の焼け加減になったときに、そのタイミングを見計らい、速やかに取り出す必要があり、こうした注意を怠ると、加熱しすぎて味を落としてしまったり、食品に着火して焦がしてしまったりすることがあり、思うような焼き加減に調理するのが難しいものであった。
【０００３】
（従来の技術）
こうした状況を反映し、その打開策となるような提案もこれまでに散見されない訳ではない。
例えば、下記の特許文献１（１）に提案されているものに代表されるように、七輪より一回り大きな直径とし、七輪を載置可能なリングを設け、その円周回りに１８０度位相させた位置に、互いに二重螺旋状をなすよう一対の螺旋形支柱を立設すると共に、各螺旋形支柱の周回り９０度毎となる中途４箇所夫々に、下端を摺動自在に緩嵌した垂直支柱の各上端に、焼き網搭載用の上部リングを一体化・支持し、各螺旋形支柱に沿って各垂直支柱および上部リングを、周回り方向に回転状移動することにより、昇降移動可能とし、七輪の火から焼き網までの距離を無段階的に調節し、食材を好みに応じて調理可能としてなるものや、同特許文献１（２）に見られるような、七輪を搭載可能な接地部の外がわ配置となる一部に、上下反転Ｕ字またはＶ字形であって頂部に縦筒を一体化した支持枠を立設すると共に、焼き網搭載用の支承部を一端に水平支持した片持ち梁の基端から垂下した垂直柱の下端を上方から下向きに、当該縦筒に昇降自在に遊貫した上、該縦筒と、同縦筒下に露出した垂直柱下端がわ適所との間に自在鈎型の伸縮機構を組み合わせて、七輪の火から焼き網搭載用支承部までの高さを無段階的に調節可能としてなるものなどがある。
【０００４】
さらには、同特許文献２（１）のように、平面形状が円形のバーベキューコンロ本体を、周回り１２０度置き毎に配した２本の円柱形脚、および、それら脚よりも長い一本の円柱形支柱によって支持し、該支柱のコンロ本体よりも高い位置に、網台外周に一体化した固定ボルト付きスリーブを、上下昇降自在に遊貫し、固定ボルトを緩めて支柱に沿って網台を昇降、および支柱回りに水平回動可能とし、固定ボルトを締め付けて網台を固定可能とするようにしてコンロ本体の火から網台までの距離を無段階的に調節可能としてなるもの、同特許文献２（２）に見られるように、バーベキューコンロ本体内に、水平梁部分を最高位置に有する枠状の同一形同一寸法且つ一対の網載せ枠状棒を、所定間隔を隔てて対峙するよう配し、それら網載せ枠状棒の左右水平同心端をコンロ本体側壁に回動自在に貫通し、さらにコンロ本体側壁から突出させた各一方端夫々にウオームホイールを一体化し、それら隣り合わせ配置とした２個のウオームホイールに接線上配置にて噛合する１本の軸であって、各ウオームホイール毎に螺旋方向が異なる２種類のネジ部を刻設したウオームを設けた上、該ウオーム入力端に係脱可能な回転操作具を組合せ、回転操作具による回転入力量に応じて、当該一対の網載せ枠状棒の梁状上端を、双方常時同一高さに起伏するよう連動操作可能とし、搭載した焼き網を水平姿勢のまま無段階的に昇降操作可能としてなるものなどが散見される。
【０００５】
しかし、特許文献１（１）に示されているような焼き網用の昇降装置類は、七輪を搭載可能な接地用リングを設け、この接地用リングから七輪の外がわを包囲するよう、螺旋状支柱や上部リング用の支柱などを配設する必要があり、七輪よりも大型のバーベキューコンロなどに応用する場合には、相当に大型化したものとなり、軽量化が難しく、収納や輸送、運搬などに不向きなものとなり、特に、車載して山や海などの遠隔地まで輸送して利用することを考慮しなければならないバーベキューコンロなどへの利用には不向きであるという難点があり、そして、同特許文献１（２）に示される七輪用の焼き網保持装置類も同様に、接地部分や支持枠などが大型の原因となり、バーベキューコンロなどに応用使用とすると、輸送性や保管性を悪化させてしまうという欠点を生じるものとなる。
【０００６】
また、特許文献２（１）に示されているもののように、バーベキューコンロに一体化した支柱に対して網台を装着するものでは、バーベキューコンロと不可分の関係にあるから、別のバーベキューコンロを既に所有しているユーザーなどは、網台の昇降機能や垂直軸回りの回転機能などを利用することができず、こうした新機能を利用したい場合には必ず、新たにこのバーベキューコンロ全体を購入する必要があり、ユーザーへの経済的負担が大きく、旧型のバーベキューコンロを有効利用できないという問題を抱えてしまっており、そしてまた、同特許文献２（２）に代表するバーベキューコンロも同様に、焼き網の昇降装置が、バーベキューコンロと不可分な一体型のものであり、焼き網の昇降機能を利用したいユーザーは、必ず新しいバーベキューコンロ全体を購入しなければならず、利用者に不要な経済的負担を負わせてしまうという致命的な欠点があった。                                    
【特許文献１】（１）特開２００６−５１３０１号公報    （２）特開２００６−２３８９５６号公報
【特許文献２】（１）実用新案登録第３１４８６３１号公報    （２）実開平７−３９７２５号公報
【発明の概要】
【発明が解決しようとする課題】
【０００７】
（問題意識）
上述したきたとおり、従前までに提案のある各種の七輪用焼き網昇降装置類などは何れも、その原理をバーベキューコンロに応用しようとすると、大型化して重量が過大になり、輸送性や保管性の面に大きな問題を抱えており、また、焼き網を昇降自在としたり、水平方向にスライド移動させたりすることを可能としたバーベキューコンロ類などは、焼き網の昇降機構やスライド移動機構などがバーベキューコンロと不可分に一体化したものであり、既にバーベキューコンロを所有しているユーザーに不要な経済的負担を強いる虞があり、本願出願人は、永年に亘って多様な利用者に対し、より利用し易いバーベキュー用品類を提供しようと努力して来た経験から得られた様々な検知、およびユーザーからの情報などに基づき、保管性や運搬性に優れるのは勿論のこと、既存のバーベキューコンロにも幅広く組み込んで利用可能なものとし、利用者の経済的負担を大幅に軽減することができる新たなバーベキュー用品開発の必要性を痛感するに至ったものである。
【０００８】
（発明の目的）
そこで、この発明は、小型・軽量化して保管性や輸送性に秀れ、既存のバーベキューコンロにも幅広く組み込んで利用可能なものとし、より低廉にて満足できる付加機能を提供可能とする新たなバーベキュー用品技術の開発はできないものかとの判断から、逸速くその開発、研究に着手し、長期に渡る試行錯誤と幾多の試作、実験とを繰り返してきた結果、今回、遂に新規な構造のバーベキュー網装置、およびそれを組み込んだ新規な構造のバーベキューコンロを実現化することに成功したものであり、以下では、図面に示すこの発明を代表する実施例と共に、その構成を詳述することとする。                                                                
【課題を解決するための手段】
【０００９】
（発明の構成）
図面に示すこの発明を代表する実施例からも明確に理解されるように、この発明のバーベキュー網装置は、基本的に次のような構成から成り立っている。
即ち、バーベキューコンロの上向き開口縁に着脱自在な挟着部に、当該開口縁に上方から下向きに当接して位置決め可能な水平基準面を設け、該挟着部におけるバーベキューコンロへ装着中に開口縁よりも外がわとなる適所に、１個または複数個の垂直孔を有する支持部を設けた脱着金具と、該脱着金具支持部垂直孔に脱抜自在に差込み可能とした垂直柱の上端がわから、バーベキューコンロへの装着中に開口内上に配置可能なアームを延伸した支持骨格と、該支持骨格アーム先端に、水平状に装着したグリル部とを有していて、バーベキューコンロへ装着中にグリル部を、開口中央上より外がわに垂直軸心回りに水平移動可能とするようにした回転機構を、当該支持骨格と支持部との間か、または、支持骨格とグリル部との間かの少なくとも何れか一方に設けると共に、グリル部の支持高さを段階的に調節可能とするようにした高さ調節機構を、該支持骨格と脱着金具支持部との間に組み込んでなるものとした構成を要旨とするバーベキュー網装置である。
【００１０】
より具体的なものとして示すと、本体バイス、移動バイス、およびそれらを締め付け操作可能とするナット部・締めネジからなり、バーベキューコンロの上向き開口縁に着脱自在とした挟着部に、当該開口縁に上方から下向きに当接して位置決め可能な水平基準面を設け、該挟着部におけるバーベキューコンロへ装着中に開口縁よりも外がわとなる適所に、１個または複数個の垂直孔を有する支持部を設けた脱着金具と、該脱着金具支持部垂直孔に脱抜自在に差込み可能とした垂直柱の上端がわから、バーベキューコンロへの装着中に開口内上に配置可能なアームを延伸した支持骨格と、該支持骨格アーム先端に、水平状に装着したグリル部とを有していて、バーベキューコンロへ装着中にグリル部を、開口中央上より外がわに垂直軸心回りに水平移動可能とするようにした回転機構を、当該支持部垂直孔と、支持骨格垂直柱の全体か、または、垂直柱の下端がわ所定範囲かの何れか一方からなる垂直軸との組合せとすると共に、グリル部の支持高さを段階的に調節可能とするようにした高さ調節機構を、該支持骨格垂直柱の中途適所より下向き十手状に分岐した垂枝と、脱着金具支持部の垂直孔回り垂枝対応半径位置の１箇所に、該垂枝を貫通可能に配した調節孔と、同垂直孔回り垂枝対応半径位置の他１箇所に、該垂枝の下端に嵌合可能に配した調節溝とを有するものとした構成からなるバーベキュー網装置となる。
【００１１】
これを換言するならば、本体バイスの上部にナット部を設け、該本体バイスに対し、上端がナット部に対峙するレバー部を軸着し、該レバー部下端に移動バイスを一体化し、該ナット部に中途部を螺合すると共に、先端を該レバー部上端に当接して、螺合に従って該本体バイスと移動バイスとを近接するよう締め付け可能とする締めネジからなり、バーベキューコンロの上向き開口縁に上方から下向きに着脱自在とした挟着部を有し、該挟着部に、バーベキューコンロの上向き開口縁に上方から下向きに当接して位置決め可能な水平基準面を設け、該挟着部におけるバーベキューコンロへ装着中に開口縁よりも外がわとなる適宜間隔を隔てた適所に、複数個の垂直孔を有する支持部を設けた脱着金具と、該脱着金具支持部各垂直孔に脱抜自在に差込み可能とした複数本の垂直柱の各上端がわから、バーベキューコンロへの装着中に開口内上に配置可能なアームを延伸し、各アーム先端同士を結合し、平面形Ｖ字状、Ｙ字状または二等辺三角形状の何れか一つとした支持骨格と、該支持骨格各アーム先端に、水平状に装着したグリル部とを有していて、バーベキューコンロへ装着中にグリル部を、開口中央上より外がわに垂直軸心回りに水平移動可能とするようにした回転機構を、当該支持骨格とグリル部との間に設けると共に、グリル部の支持高さを段階的に調節可能とするようにした高さ調節機構を、該支持骨格と脱着金具支持部との間に組み込んでなるものとした構成からなるバーベキュー網装置となる。
【００１２】
さらに、この表現を変えて示したバーベキュー網装置を、より具体的なものとして示すと、本体バイスの上部にナット部を設け、該本体バイスに対し、上端がナット部に対峙するレバー部を軸着し、該レバー部下端に移動バイスを一体化し、該ナット部に中途部を螺合すると共に、先端を該レバー部上端に当接して、螺合に従い該本体バイスと移動バイスとを近接するよう締め付け可能とする締めネジからなり、バーベキューコンロの上向き開口縁に上方から下向きに着脱自在とした挟着部を有し、該挟着部に、バーベキューコンロの上向き開口縁に上方から下向きに当接して位置決め可能な水平基準面を設け、該挟着部におけるバーベキューコンロへ装着中に開口縁よりも外がわとなる適宜間隔を隔てた適所に、複数個の垂直孔を有する支持部を設けた脱着金具と、該脱着金具支持部各垂直孔に脱抜自在に差込み可能とした複数本の垂直柱の各上端がわから、バーベキューコンロへの装着中に開口内上に配置可能にアームを延伸し、各アーム先端同士を結合し、平面形Ｖ字状、Ｙ字状または二等辺三角形状の何れか一つとした支持骨格と、該支持骨格各アーム先端に、水平状に装着したグリル部とを有していて、バーベキューコンロへ装着中にグリル部を、開口中央上より外がわに垂直軸心回りに水平移動可能とする回転機構を、当該支持骨格とグリル部との間に設けると共に、脱着金具支持部のグリル部の支持高さを段階的に調節可能とする高さ調節機構を、該支持骨格の各垂直柱よりも後部に、水平軸回りに上下反転状に回動可能とするよう設けた高さ規制部と、脱着金具支持部の該高さ規制部に対応する後部に設けた水平支持部とからなるものとしたバーベキュー網装置ということができる。
【００１３】
（関連する発明）
上記したバーベキュー網装置に関連し、この発明には、それを組み込んでなるバーベキューコンロも包含している。
即ち、支持脚部上に、燃料を収容且つ燃焼可能な器状の耐熱性コンロ本体を有し、該コンロ本体の上向き開口縁の任意選択した適所に対して、この発明の基本をなす前記バーベキュー網装置を、着脱自在に組み込んでなるものとした構成を要旨とするバーベキューコンロである。                                                                      
【発明の効果】
【００１４】
以上のとおりの固有の構成からなるこの発明のバーベキュー網装置によれば、従前までのものとは違い、上記したとおりの固有の特徴ある構成から、様々なバーベキューコンロに対して分解自在に装着可能となるから、既存のバーベキューコンロにも幅広く組み込んで利用することができる上、小型・軽量化して低廉にて提供可能であり、保管性や輸送性にも秀れ、ユーザーが充分に満足できる付加機能を提供するものとなり、従来型のバーベキューコンロを既に所有しているユーザーは、新たに専用のバーベキューコンロを購入する必要がなく、既存のバーベキューコンロにそのまま組み込んで利用でき、秀れた経済性を発揮するものとなり、しかも従前まで大型化の要因となっていた脚部を廃止して脱着金具を設けたことにより、大幅な小型化を達成し、該脱着金具に対して、グリル部の支持骨格を着脱自在に装着可能としたから、バーベキューコンロに装着する際には、始めに該脱着金具を取付けた後に、支持骨格を装着するよう組み立て可能となり、組立て作業中に取り扱う部品重量を大幅軽減し、組立ておよび分解作業性を格段に軽快なものとし、女性や子供、高齢者など非力なユーザーにも容易且つ安全に利用することができるものになるという秀でた特徴が得られるものである。
【００１５】
加えて、脱着金具に水平基準面を設けたことにより、従来までは脚部などを地面に接地させて水平姿勢を維持するものとしていたが、該水平基準面をバーベキューコンロ開口縁に接合するだけで、正確な水平姿勢に規制可能とし、大型化することなく、支持骨格およびグリル部を水平姿勢に支持すると共に、バーベキューコンロ開口に対して望み通りの配置関係に、簡単且つ正確に組み立てることができ、さらに、支持骨格と支持部との間か、または、支持骨格とグリル部との間かの少なくとも何れか一方に、バーベキューコンロへ装着中にグリル部を、開口中央上より外がわに垂直軸心回りに水平移動可能とする回転機構を設けたものは、グリル部をバーベキューコンロ内の火の直上位置に配置するだけでなく、火の直上位置から水平方向に円滑に移動可能なものとし、火から外したグリル部上に食品を並べてから、火の直上位置に移動したり、グリル部上に載せた食品の焼け具合や加熱のタイミングに応じて火に近づけたり、遠ざけたりする操作を自由且つ簡単に行えるようになるという大きな効果が得られる。
【００１６】
そして、支持骨格と脱着金具支持部との間に、グリル部の支持高さを段階的に調節可能とする高さ調節機構を組み込んでなるものとしたから、グリル部上に載せる食品を強火で加熱したい場合には、高さ調節機構を低く支持するよう設定してグリル部を火に近づけ、弱火で加熱した場合には、高く支持するよう設定してグリル部を火から遠ざけるようにすることができ、強火・弱火の切り換えを容易に行うことができるという効果も発揮できる。
【００１７】
さらに、脱着金具の挟着部を、本体バイス、移動バイス、ナット部および締めネジからなるものとすることにより、形状の異なる様々なバーベキューコンロの上向き開口縁に対して、確実に挟着固定することができ、しかも締めネジ操作によって締め付け固定、および、取り外しを簡単且つ確実に行えるという利点が得られ、また、グリル部用支持骨格の垂直柱全体か、または、同垂直柱の下端がわ所定範囲かの何れか一方を垂直軸とし、該垂直軸と脱着金具支持部の垂直孔とが、回転機構をなすものとしたものは、バーベキューコンロ開口縁に予め挟着した脱着金具の垂直孔に対して、該垂直軸を差込み装着するだけで、グリル部用支持骨格の取付けを完了することができる上、脱着機構を兼ねた該垂直孔および垂直軸が、回転機構としての機能を果すものとなり、構造の簡素化と部品点数の削減とを達成して一段と小型・軽量化を進めることができるという利点を有している。
【００１８】
支持骨格垂直柱の中途適所より下向き十手状に垂枝を分岐し、脱着金具支持部の垂直孔回り垂枝対応半径位置の１箇所に、該垂枝を貫通可能な調節孔、同垂直孔回り垂枝対応半径位置の他１箇所に、該垂枝の下端に嵌合可能な調節溝を夫々設け、垂枝の組み込み位置に応じてグリル部の支持高さを段階的に調節可能とする高さ調節機構を組み込んでなるものは、支持骨格の垂直柱を垂直孔から引き上げて回動操作し、垂枝下端を調節孔に一致させて降下させると、垂枝が調節孔に没してグリル部を低い支持位置に支持するものとなり、また、同垂直柱を垂直孔から引き上げて回動操作し、垂枝下端を調節溝に一致させて降下させると、調節溝が垂枝下端を嵌合支持してグリル部を、垂枝の上下長相当分、高い支持位置に支持するものとなり、グリル部支持高さの調節を格段に簡単に行えるという利便性がもたらされる。
【００１９】
脱着金具支持部が２個以上の垂直孔を有し、１個の垂直孔に支持骨格垂直柱の全体を垂直軸として差込み装着し、他の１個の垂直孔に他の支持骨格垂直柱の下端がわ所定範囲に設けた垂直軸を差込み装着し、さらに他の１個の垂直孔を有する場合には、さらに他の支持骨格垂直柱の長さを異なるものとし、その下端がわ所定長範囲に設けた垂直軸を差込み装着し、各支持骨格アーム先端に、水平状に装着した各グリル部支持の高低差を、各垂直柱の長さに応じて異なり、互いに上下高低差をもって、バーベキューコンロの開口上に支持可能としたものは、複数のグリル部および各支持骨格が、互いに緩衝することなく、夫々の回転機構を自由に操作できる上、最上位にある支持骨格には高さ調節機構を組みこむことができ、大幅に多機能化を進めたものにできるという効果が得られる。
【００２０】
脱着金具が、本体バイスの上部にナット部を設け、該本体バイスに対し、上端がナット部に対峙するレバー部を軸着し、該レバー部下端に移動バイスを一体化し、該ナット部に中途部を螺合すると共に、先端を該レバー部上端に当接して、螺合に従い該本体バイスと移動バイスとを近接するよう締め付け可能とする締めネジからなり、バーベキューコンロの上向き開口縁に上方から下向きに着脱自在とした挟着部を有するものは、締めネジの締め付け力をレバー部の梃によって強化し、一段と強固な仮止めを実現化し、女性や子供、高齢者などの非力な利用者であっても、締め付け不足を解消して、より安全・確実な装着、および、簡単な取り外し作業性を達成可能とするものとなる。
【００２１】
支持骨格が、複数本の垂直柱の各上端がわから、バーベキューコンロへの装着中に開口内上に配置可能にアームを延伸し、各アーム先端同士を結合し、平面形Ｖ字状、Ｙ字状または二等辺三角形状の何れか一つとしてなるものは、グリル部の支持強度を格段に高めたものとすることができ、さらに、支持骨格の各垂直柱よりも後部に、水平軸回りに上下反転状に回動可能な高さ規制部を設け、脱着金具支持部の該高さ規制部に対応する後部に水平支持部を設け、高さ規制部を上方に反転した場合に、支持骨格垂直柱を脱着金具支持部各垂直孔に対して低く、また、高さ規制部を下方に反転し、水平支持部上に支持させた場合に、支持骨格垂直柱を脱着金具支持部各垂直孔に対して高く規制し、グリル部の支持高さを段階的に調節可能とする高さ調節機構を組み込んでなるものは、低く支持した場合には、複数本の垂直柱がアームおよびグリル部を安定支持するものとなり、高く支持した場合には、複数本の垂直柱に加え、高さ規制部が、アームおよびグリル部を一段と安定に支持するものとなり、一層支持強度を高めたものにできるという利点がある。
【００２２】
支持骨格アーム先端とグリル部との間に回転機構を設けたものは、脱着金具に対する支持骨格の装着強度を高めるよう、垂直柱を複数本設けたものなどのように、構造を複雑かしてしまうため脱着金具と支持骨格との間に回転機構を組み込めない場合に有効であり、グリル部の水平方向への回動操作を可能として、火加減調節を自由に行えるものとすることができ、また、支持骨格が、垂直柱の上部適所、および／または、アーム基端寄りの上部適所に、脱抜操作や回転操作用となる操作ハンドルを設けたものは、より確実な操作性を確保することができ、安全性を格段に高めたものとすることができる。
【００２３】
この発明のバーベキュー網装置を、着脱自在に組み込んだバーベキューコンロは、上述したように小型・軽量化したバーベキュー網装置を組み込むだけで、グリル部用の回転機構および高さ調節機構を装備して高機能化することができるから、秀れた付加価値を与えることができる上、脚部を持たないこの発明のバーベキュー網装置は、バーベキューコンロの付属品を大型化することがなく、軽量で保管性や運搬性が高く、店頭に陳列する場合にも少ないスペースに展示することができ、しかも低廉にて提供できるという大きな効果を奏することになる。                                                                                                    
【発明を実施するための最良の形態】
【００２４】
上記したとおりの構成からなるこの発明の実施に際し、その最良もしくは望ましい形態について説明を加えることにする。
脱着金具は、この発明のバーベキュー網装置を、装着対象となるバーベキューコンロの上向き開口縁に、該開口縁の水平輪郭部分を取付け基準とし、支持骨格先端がわのグリル部を水平姿勢に支持可能とするよう着脱自在とし、装着中は安全にバーベキューコンロと一体化する機能を担い、バーベキューコンロの上向き開口縁に着脱自在な挟着部に、当該開口縁に上方から下向きに当接して位置決め可能な水平基準面を設け、該挟着部のバーベキューコンロへ装着中に開口縁よりも外がわとなる適所に、１個または複数個の垂直孔を有する支持部を設けたものとしなければならず、後述する実施例に示すように、本体バイス、移動バイス、およびそれらを締め付け操作可能とするナット部・締めネジからなり、バーベキューコンロの上向き開口縁に着脱自在とした挟着部に、当該開口縁に上方から下向きに当接して位置決め可能な水平基準面を設け、該挟着部のバーベキューコンロへ装着中に開口縁よりも外がわとなる適所に、１個または複数個の垂直孔を有する支持部を設けたものとすることができる外、本体バイスの上部にナット部を設け、該本体バイスに対し、上端がナット部に対峙するレバー部を軸着し、該レバー部下端に移動バイスを一体化し、該ナット部に中途部を螺合すると共に、先端を該レバー部上端に当接して、螺合に従い該本体バイスと移動バイスとを近接するよう締め付け可能とする締めネジからなり、バーベキューコンロの上向き開口縁に上方から下向きに着脱自在とした挟着部を有し、該挟着部に、バーベキューコンロの上向き開口縁に上方から下向きに当接して位置決め可能な水平基準面を設け、該挟着部のバーベキューコンロへ装着中に開口縁よりも外がわとなる適宜間隔を隔てた適所に、複数個の垂直孔を有する支持部を設けたものとすることができる。
【００２５】
脱着金具挟着部は、バーベキューコンロの上向き開口縁に、該開口縁の水平輪郭部分を取付け基準とし、支持骨格先端がわのグリル部の水平支持を可能とするよう着脱自在に挟着可能とする機能を担い、バーベキューコンロの上向き開口縁に挟着して支持骨格、および先端がわのグリル部を、安定且つ安全に支持可能なものとしなければならず、バーベキューコンロの上向き開口縁に上方から下向きに当接して位置決め可能な水平基準面を設けたものとすべきであり、バーベキューコンロの上向き開口縁の内外周壁面間をその肉厚方向（水平方向）に挟み込んで仮固定可能とするものや、開口縁を内向きまたは外向きの水平フランジ状に折り曲げたバーベキューコンロに装着するものの場合には、水平フランジ状の開口縁をその肉厚方向（上下方向）に挟み込んで仮固定可能としたものとすることができる外、水平方向および上下方向の双方から挟み込み可能としたものとすることができ、後述する実施例に示すように、本体バイス、移動バイス、およびそれらを締め付け操作可能とするナット部・締めネジからなるものや、本体バイス、移動バイス、レバー部、ナット部および締めネジからなるものなどとすることができる。
【００２６】
脱着金具挟着部の水平基準面は、バーベキューコンロ開口縁への脱着金具の取付け姿勢を、グリル部を水平に支持可能とするよう規制可能とする機能を担い、バーベキューコンロ開口縁に上方から下向きに接合可能なものとしなければならず、本体バイスや移動バイスなどの外、挟着部の構成要素の何れかの少なくとも一つの部品に設けたものとし、下向き平面をなすものとするのが望ましいが、水平方向に所定間隔を隔てた少なくとも２点の接触点を確保して水平姿勢を確保可能なものとすることができ、水平または垂直な２本の平行棒に置き換えることが可能である外、水平または垂直な複数本の平行棒、網状平板、平板、ブロックなど、水平姿勢に規制する機能を達成可能な様々な形状のものに置き換えることが可能となる。
【００２７】
脱着金具支持部は、支持骨格の基部を脱着金具に対して着脱自在に組み込み、安定に支持可能とする機能を分担し、挟着部のバーベキューコンロへ装着中に開口縁よりも外がわとなる適所に、１個または複数個の垂直孔を有するものとしなければならず、後述する実施例に示すように、挟着部のバーベキューコンロへ装着中に開口縁よりも外がわとなる適宜間隔を隔てた適所に、複数個の垂直孔を有するものとすることができ、支持部の垂直孔は、支持骨格の垂直柱を、上方から下向き姿勢で、着脱自在に差込み、装着可能とする機能を担い、必要に応じて回転機構の垂直軸を受ける軸受け部分としての機能を分担するものとなる。
【００２８】
支持骨格は、脱着金具に対して所望の位置に、グリル部を安定且つ安全に水平支持可能とする機能を分担し、脱着金具支持部垂直孔に脱抜自在に差込み可能とした垂直柱の上端がわから、バーベキューコンロへの装着中に開口内上に配置可能なアームを延伸したものとしなければならず、後述する実施例に示すように、脱着金具支持部各垂直孔に脱抜自在に差込み可能とした複数本の垂直柱の各上端がわから、バーベキューコンロへの装着中に開口内上に配置可能なアームを延伸し、各アーム先端同士を結合し、平面形Ｖ字状、Ｙ字状または二等辺三角形状の何れか一つとしたものとすることができ、垂直柱の上部適所、および／または、アーム基端寄りの上部適所に、脱抜操作や回転操作用となる操作ハンドルを設けてなるものとすることができる。
【００２９】
支持骨格垂直柱は、脱着金具支持部の垂直孔に、上方より下向きに脱抜自在に差込み状装着を可能とし、支持骨格を安定且つ安全に支持可能とする機能を分担し、上端がわから、バーベキューコンロへの装着中に開口内上に配置可能なアームを延伸したものとしなければならず、後述する実施例にも示すとおり、垂直柱の全体か、または、垂直柱の下端がわ所定範囲を垂直軸とし、該垂直軸と支持部垂直孔とが、バーベキューコンロへ装着中にグリル部を、開口中央上より外がわに垂直軸心回りに水平移動可能とする回転機構を設けたものとすることができ、また、脱着金具支持部が２個以上の垂直孔を有するものとした場合に、１個の垂直孔に支持骨格垂直柱の全体を垂直軸として差込み装着し、他の１個の垂直孔に他の支持骨格垂直柱の下端がわ所定範囲に設けた垂直軸を差込み装着し、さらに他の１個の垂直孔を有する場合には、さらに他の支持骨格垂直柱の長さを異なるものとし、その下端がわ所定長範囲に設けた垂直軸を差込み装着し、各支持骨格アーム先端に、水平状に装着した各グリル部支持の高低差を、各垂直柱の長さに応じて異なり、互いに上下高低差をもって緩衝しないよう、バーベキューコンロの開口上に支持可能なものとすることができる。
【００３０】
支持骨格垂直柱は、下端がわ所定範囲を垂直軸とする場合、垂直軸よりも外径を拡大したものとすることができる外、支持部垂直孔に装着不可能な形状のものとしたり、垂直柱下端と垂直軸上端との境にフランジ状の鍔を設けたりすることができ、後述する実施例に示すように、垂直柱範囲に外径を拡大するスリーブを装着してなるものなどとしても差し支えはない。。
【００３１】
支持骨格アームは、垂直柱の上端がわに、グリル部を水平姿勢に維持するよう連結する機能を分担し、垂直柱の上端がわにグリル部を固定状に連結したものとすることができる外、直線梁型棒状のものの外、湾曲形状や折れ線形状など様々な形状のものとすることが可能であり、１本または複数本を一体化したものなどとすることができ、さらに、支持骨格アーム先端に一体化した垂直軸または垂直孔の何れか一方と、グリル部適所に設けた垂直軸または垂直孔の何れか他方との組合せとし、グリル部が支持骨格アーム先端の垂直軸および垂直孔を同心状に組み合わせた中心回りに回動自在とし、アーム先端に回転機構を設けたものとしてもよい。
【００３２】
グリル部は、支持骨格アーム先端に焼き網を設け、食品を載せて加熱調理可能とする機能を分担し、支持骨格アーム先端に、焼き網を水平状に装着可能とするものとしなければならず、支持骨格アーム先端に設けた網枠と、該網枠上に着脱自在に搭載可能な焼き網とからなるものとすることができ、後述する実施例に示すように、網枠に焼き網のズレ動きを防止する複数本の掛止ピンを突設したものとすることができる外、アーム先端と網枠との間に回転機構を組み込んでなるものとすることが可能である。
【００３３】
回転機構は、脱着金具に対してグリル部を水平方向に回動状に移動して、少なくともグリル部の主要範囲を、装着状態にあるバーベキューコンロの上向き開口縁よりも外がわに移動自在とする機能を分担し、脱着金具と支持骨格との間に組み込むことができる外、支持骨格とグリル部との間に組み込むことができ、換言すると、支持骨格と支持部との間か、または、支持骨格とグリル部との間かの少なくとも何れか一方に組み込むことが可能であり、後述する実施例に示すように、脱着金具垂直孔と、支持骨格垂直柱の全体を該脱着金具垂直孔に差込み可能な形状・寸法とするか、または、支持骨格垂直柱の下端がわ所定範囲を該垂直孔に差込み可能な形状・寸法とするかの何れか一方とした垂直軸とからなるものとし、脱着金具垂直孔に上方から下向きに着脱自在に差込み装着した垂直軸を中心に、支持骨格アームおよびグリル部を垂直軸心回りに回動自在としてなるものとすることができる外、支持骨格アーム先端に一体化した垂直軸または垂直孔の何れか一方と、グリル部適所に設けた垂直軸または垂直孔の何れか他方との組合せとし、グリル部が支持骨格アーム先端の垂直軸および垂直孔を同心状に組み合わせた中心回りに回動自在としてなるものとすることが可能である。
【００３４】
高さ調節機構は、装着したバーベキューコンロの上向き開口に対し、グリル部の支持高さを段階的に調節可能とする機能を分担しており、支持骨格と脱着金具支持部との間に設けたものとしなければならず、後述する実施例に示すように、支持骨格垂直柱の中途適所より下向き十手状に垂枝を分岐し、脱着金具支持部の垂直孔回り垂枝対応半径位置の一箇所に、該垂枝を貫通可能な調節孔、同垂直孔回り垂枝対応半径位置の他一箇所に、該垂枝の下端に嵌合可能な調節溝を夫々設け、垂枝の組み込み位置に応じてグリル部の支持高さを段階的に調節可能とするものとすることができる外、支持骨格の各垂直柱よりも後部に、水平軸回りに上下反転状に回動可能な高さ規制部を設け、脱着金具支持部の該高さ規制部に対応する後部に水平支持部を設け、高さ規制部を上方に反転した場合に、支持骨格垂直柱を脱着金具支持部各垂直孔に対して低く、また、高さ規制部を下方に反転し、水平支持部上に支持させた場合に、支持骨格垂直柱を脱着金具支持部各垂直孔に対して高く規制し、グリル部の支持高さを段階的に調節可能なものとすることができる。
【００３５】
この発明のバーベキュー網装置は、脱着金具支持部が２個以上の垂直孔を有し、１個の垂直孔に支持骨格垂直柱の全体を垂直軸として差込み装着し、他の１個の垂直孔に他の支持骨格垂直柱の下端がわ所定範囲に設けた垂直軸を差込み装着し、さらに他の１個の垂直孔を有する場合には、さらに他の支持骨格垂直柱の長さを異なるものとし、その下端がわ所定長範囲に設けた垂直軸を差込み装着し、各支持骨格アーム先端に、水平状に装着した各グリル部支持の高低差を、各垂直柱の長さに応じて異なり、互いに上下高低差をもって、バーベキューコンロの開口上に支持可能なものとすることができ、後述する実施例に示すように、脱着金具支持部が２個の垂直孔を有し、１個の垂直孔に支持骨格垂直柱の全体を垂直軸として差込み装着し、他の１個の垂直孔に他の支持骨格垂直柱の下端がわ所定範囲に設けた垂直軸を差込み装着し、各支持骨格アーム先端に、水平状に装着した各グリル部支持の高低差を、各垂直柱の長さに応じて異なり、互いに上下高低差をもって、バーベキューコンロの開口上に支持可能なものとしてもよい。
【００３６】
この発明のバーベキューコンロは、コンロ本体の上向き開口縁の任意選択した適所に、この発明の根幹をなすバーベキュー網装置を着脱自在に組み込み、コンロ本体の開口からグリル部までの支持高さを段階的に調節可能とすると共に、グリル部をコンロ本体の開口上から、水平方向に移動可能とする機能を有し、コンロ本体は、燃料を収容且つ燃焼可能な器状であって耐熱性素材製のものとし、上向き開口縁を有するものとしなければならず、支持脚部上にコンロ本体を設けてなるものとするのがよい。
以下では、図面に示すこの発明を代表する実施例と共に、その構造について詳述することとする。                                                                                                            
【図面の簡単な説明】
【００３７】
図面は、この発明のバーベキュー網装置、およびそれを組み込んだバーベキューコンロの技術的思想を具現化した代表的な幾つかの実施例を示すものである。
【図１】バーベキュー網装置を示す側面図である。
【図２】バーベキュー網装置を示す平面図である。
【図３】脱着金具を示す側面図である。
【図４】脱着金具を示す平面図である。
【図５】脱着金具を示す正面図である。
【図６】脱着金具を示す背面図である。
【図７】支持骨格およびグリル部を示す側面図である。
【図８】支持骨格およびグリル部を示す平面図である。
【図９】バーベキューコンロに組み込むバーベキュー網装置を示す側面図である。
【図１０】バーベキュー網装置を組み込んだバーベキューコンロを示す側面図である。
【図１１】バーベキュー網装置を組み込んだバーベキューコンロを示す平面図である。
【図１２】回転機構の動作を示す平面図である。
【図１３】高さ調節機構の動作を示す側面図である。
【図１４】２個の支持骨格およびグリル部を有するバーベキュー網装置を示す側面図である。
【図１５】バーベキューコンロに組み込む２個のグリル部を有するバーベキュー網装置を示す側面図である。
【図１６】バーベキューコンロに組み込んだ２個のグリル部を有するバーベキュー網装置を示す側面図である。
【図１７】脱着金具挟着部の変形例を示す側面図である。
【図１８】脱着金具挟着部の変形例を示す平面図である。
【図１９】バーベキュー網装置の他の実施例を分解して示す側面図である。
【図２０】脱着金具の他の実施例を示す側面図である。
【図２１】脱着金具の他の実施例を示す平面図である。
【図２２】脱着金具の他の実施例を示す背面図である。
【図２３】支持骨格の他の実施例を示す側面図である。
【図２４】支持骨格の他の実施例を示す平面図である。
【図２５】高位置に設定した高さ調節機構の他の実施例を示す背面図である。
【図２６】低位置に設定した高さ調節機構の他の実施例を示す背面図である。
【図２７】バーベキューコンロに組み込む他の実施例のバーベキュー網装置を示す側面図である。
【図２８】バーベキューコンロに組み込んだ他の実施例のバーベキュー網装置を示す平面図である。
【図２９】他の実施例の回転機構の動作を示す平面図である。
【図３０】低位置に設定した他の実施例のバーベキュー網装置を示す側面図である。
【図３１】高位置に設定した他の実施例のバーベキュー網装置を示す側面図である。
【実施例１】
【００３８】
図１ないし図１３に示す事例は、バーベキューコンロ９の上向き開口縁９０に着脱自在な挟着部３に、当該開口縁９０に上方から下向きに当接して位置決め可能な水平基準面Ｄを設け、該挟着部３の適所に垂直孔４０を有する支持部４を設けた脱着金具２、該脱着金具２支持部４垂直孔４０に差込み可能とした垂直柱５０の上端がわからアーム５２を延伸した支持骨格５、および該支持骨格５アーム５２先端に装着したグリル部６からなり、当該支持骨格５と支持部４との間に、グリル部６を垂直軸心回りに水平移動可能とする回転機構７を設けると共に、該支持骨格５と脱着金具２支持部４との間に、グリル部６の支持高さＨ（ｈ）を段階的に調節可能とする高さ調節機構８を組み込んでなるものとした、この発明のバーベキュー網装置における代表的な一実施例を示すものである。
【００３９】
それら各図からも明確に把握できるとおり、この発明のバーベキュー網装置１は、その脱着金具２が、対象となるバーベキューコンロ９に着脱自在に組込み可能とする挟着部３、および、グリル部６を支持する支持骨格５を装着可能とする支持部４とからなり、該挟着部３は、脚部９２を接地し、平面視円形状とした器状バーベキューコンロ９の垂直円筒壁からなる開口縁９０に、その外周壁がわから安定して接合可能とするよう、平面視Ｖ字形またはＬ字形の所定開き角度をもつ接合面を有し、その上部先端から、バーベキューコンロ９開口縁９０に上方から下向きに当接可能な水平平板状の水平基準面Ｄを突設した本体バイス３０と、該本体バイス３０の内がわに位置し、当該開口縁９０の垂直円筒壁を挟んで対峙する、平面状の接合面を有する移動バイス３１とを有し、該移動バイス３１上端から本体バイス３０上面に重なるよう延伸した連結板部３２に、左右長孔３３，３３を穿孔し、それら左右長孔３３，３３に対応する本体バイス３０左右には、夫々ナット部３４，３４を設け、左右締めネジ３５，３５を上方から下向きに、左右長孔３３，３３を通じて対応する左右ナット部３４，３４に螺合し、本体バイス３０と移動バイス３１との間に当該開口縁９０を挟み込んで強固に仮固定可能なものとしている。
【００４０】
図３および図４に示すように、脱着金具２支持部４は、本体バイス３０の移動バイス３１取付けがわとは反対がわであって、バーベキューコンロ９装着中に、開口縁９０外がわとなる位置に、移動バイス３１寄りの１箇所に、下方に垂下した円筒部４０を有する垂直孔４０を穿設し、該垂直孔４０の開口縁９０外がわ方向に所定半径Ｒ隔てた後方位置に調節孔８１を貫通し、さらに、該垂直孔４０の開口縁９０外がわ方向に所定半径Ｒ隔てた斜め後方位置に、調節溝８２を凹設したものとする。
【００４１】
図７ないし図１０に示すように、支持骨格５は、垂直柱５０の上端に環状の昇降用操作ハンドル５３を設け、同垂直柱５０の上端寄りとなる昇降用操作ハンドル５３直下に、所定長のスリーブ５１を回転自在に外装し、該スリーブ５１から水平姿勢の棒状をなし、中途適所上部に回動用操作ハンドル５４を立設したアーム５２を延伸し、該アーム５２の先端には、複数適所に掛止ピン６１，６１を突設した、バーベキューコンロ９開口縁９０より僅かに小さな直径に設定した水平円環状の網枠６０の外周壁を結合し、その上方から円板状の焼き網６２を、各掛止ピン６１，６１に嵌合するよう、着脱自在に装着したものである。
【００４２】
当該垂直柱５０は、該スリーブ５１直下となる周壁から、前記所定半径Ｒ分、水平方向に延伸した上、下向き垂下状とした垂枝８０を設け、該スリーブ５１直下であって垂枝８０の基端よりも下端がわの範囲を、該垂枝８０よりも長い垂下長寸法とし、且つ当該脱着金具２支持部４垂直孔４０に回転自在に貫通状装着可能な外径の垂直軸７０としてあり、該持骨格５垂直柱５０とスリーブ５１とを回転自在に組み合わせて、グリル部６用の回転機構７を形成するものとしてある。
【００４３】
図３、図４および図１０、図１３に示してあるとおり、高さ調節機構８は、支持骨格５の垂直軸７０、垂枝８０、および、脱着金具２支持部４の垂直孔４０、調節孔８１、調節溝８２からなるものとしてある。
【００４４】
図１４ないし図１６に示すように、このバーベキュー網装置１は、脱着金具２支持部４に２個の垂直孔４０，４０を挟着部３左右幅中央に近接する位置と、それよりも僅かに背面がわに遠ざかる位置とに、同一直線状配置とするよう穿設したものとし、挟着部３に近接した垂直孔４０には、垂直柱５０スリーブ５１が短く、垂枝を持たず、アーム５２中途適所上部に回動用操作ハンドル５４を立設した支持骨格５の垂直軸７０を着脱自在に装着し、垂直孔４０と垂直軸７０とによって垂直軸心回りに回動可能な回転機構７を形成するようにし、また支持部４の背面がわ配置となる別の垂直孔４０には、垂直柱５０スリーブ５１を長く設定した支持骨格５の垂直軸７０を着脱自在に装着すると共に、垂枝８０下端を調節孔８１か調節溝８２かの何れか選択した方に嵌合・装着するよう組合せ可能となし、前述した高さ調節機構８と同様に、グリル部６の支持高さを高位置と低位置との夫々に調節可能なものとして、２枚のグリル部６，６を、上下に適宜間隔を隔てた二段配置に組合せ装着可能なものとすることができる。
【００４５】
また、図１７および図１８に示すように、脱着金具２挟着部３は、天面開放矩形箱型などの外観形状をなして開口縁９０に、内向き水平姿勢に突出した補強リブ９１を有するバーベキューコンロ９に装着可能とするよう、本体バイス３０上端から、補強リブ９１上面に重なる接合板３７を延伸し、移動バイス３１を、補強リブ９１に内側水平方向から装着可能な側断面概略横転Ｕ字形とし、その天板部分の所定左右幅間中央に貫通孔を穿設すると共に、それに同心状配置となるナット部３４を固着し、上方から下向きの締めネジ３５を螺合したものとすることができる。
【００４６】
（実施例１の作用・効果）
以上のとおりの構成からなるこの発明のバーベキュー網装置１は、図１ないし図１３に示しているように、脱着金具２の挟着部３が、その水平基準面Ｄをバーベキューコンロ９開口縁９０に当接するよう、上方から下向きに装着すると共に、左右ナット部３４，３４に対する長孔３３，３３の位置を調整しながら各締めネジ３５，３５を締め付けるだけで、当該水平基準面Ｄが開口縁９０上端に当接して水平姿勢に規制し、本体バイス３０と移動バイス３１とが、開口縁９０の内外壁面間厚み方向に挟み込み、バーベキューコンロ９開口縁９０の任意適所に簡便に位置決め、仮固定可能であり、また、各締めネジ３５，３５を緩めるだけで容易に取り外すことができ、図９および図１０に示すように、支持骨格５垂直軸７０を脱着金具２支持部４垂直孔４０に、また、支持骨格５垂枝８０を調節孔８１に夫々上方から下向きに差込み装着するだけで、支持骨格５アーム５２先端のグリル部６をバーベキューコンロ９開口９０上の所定高さ位置に水平姿勢に安定支持することができ、図１１および図１２に示すように、回動用操作ハンドル５４を操作して回転機構７の５垂直柱５０回りにスリーブ５１を回動することにより、グリル部６をバーベキューコンロ９開口縁９０上から外れるよう、円滑に水平移動することができる。
【００４７】
さらに、図４、図１０および図１３に示してあるように、高さ調節機構８は、昇降用操作ハンドル５３を操作し、調節孔８１に差し込んである垂枝８０を上昇させて引き抜き、図４中の垂直孔４０（および垂直軸７０）を中心に回動操作し、垂枝８０下端を調節溝８２に降下・嵌合させて、図１３に示すように、垂枝８０の上下寸法分浮上させた高さに支持し、バーベキューコンロ９開口９０上に、図１０の低支持高さｈよりも高い、高支持高さＨの位置に、安定的に支持するよう簡便に調節することができる。
【００４８】
図１５および図１６に示すとおり、２本の支持骨格５，５によって上下２段のグリル部６，６を装着したものは、食品毎に適した火加減のグリル部６，６を自由に選択して利用することができ、食品の搭載や取り出しに際しては、夫々の回転機構７，７を利用して水平方向に回動することができ、しかも上がわの支持骨格５は、高さ調節機構８を有しているから、一層細かな火加減調節を実現化するものとなる。
【００４９】
さらにまた、図１７および図１８のように、脱着金具２挟着部３本体バイス３０上端から、補強リブ９１上面に重なる接合板３７を延伸し、移動バイス３１を、補強リブ９１に装着可能とするよう側断面概略横転Ｕ字形としたものは、脱着金具２挟着部３本体バイス３０をバーベキューコンロ９開口縁９０の外周壁がわから接合し、同本体バイス３０接合板３７下面の水平基準面Ｄを補強リブ９１上面に重ね合わせ、水平姿勢とするよう位置決め装着してから、同移動バイス３１をバーベキューコンロ９開口縁９０の内側から（図１７および図１８中の白抜き矢印に示す方向の）外向きに移動し、補強リブ９１および接合板３７を上下から挟み込むようにした上、締めネジ３５を締め付けて強固に仮固定可能なものとなり、締めネジ３５を緩めることによって容易に取り外すことができる。                    
【実施例２】
【００５０】
図１９ないし図３１に示してあるとおり、脱着金具２挟着部３が、本体バイス３０の前方上部に、バーベキューコンロ９の上向き開口縁９０に上方から下向きに当接して位置決め可能とする水平基準面Ｄを有し、同本体バイス３０の左右幅中央の上部にナット部３４を設け、該本体バイス３０に対し、上端がナット部３４に対峙するレバー部３６の中途部を、該水平基準面Ｄの直上となる適所に軸着し、該レバー部３６下端に移動バイス３１を一体化し、該ナット部３４に中途部を螺合すると共に、先端を該レバー部３６上端に当接して、螺合に従い該本体バイス３０と移動バイス３１とを近接するよう締め付け可能とする締めネジ３５からなるものとし、脱着金具２支持部４は、本体バイス３０の左右がわ夫々にあって、左右１本ずつ筒状部品を一体化してなる左右一対の垂直孔４０，４０を設け、本体バイス３０の左右幅間中央後端から水平支持部８４を延伸したものとしてある。
【００５１】
そして、図２３ないし図２７に示すように、支持骨格５は、脱着金具２支持部４各垂直孔４０，４０夫々に、脱抜自在に差込み可能とした２本の垂直柱５０，５０の各上端から、水平直線棒状に延伸した２本のアーム５２，５２の先端同士を結合するようにして平面形Ｖ字状または二等辺三角形状のものとなし、これら垂直柱５０，５０の各上端間（左右間）には、図２５に示すように、正面三角山状の昇降用操作ハンドル５３を掛け渡し、２本のアーム５２，５２の基端間を連結したものとし、それらアーム５２，５２が交叉する先端には垂直軸７０を一体化し、該垂直軸７０に、グリル部６網枠６０の外周壁適所に一体化した装着管７１を回動自在に装着し、回転機構７をなすものとしている。
【００５２】
また、図２３ないし図２７に示してあるとおり、支持骨格５各アーム５２，５２の後端は、垂直柱５０，５０を超えて後方に延伸し、それらアーム５２，５２の延伸後端間には、金属棒を概略凹字状に折曲した高さ規制部８３の左右端を夫々水平同心状に軸着し、図２３ないし図２６に示すよう、上下反転可能に連結したものとし、該高さ規制部８３、前記水平支持部８４、各垂直柱５０，５０および脱着金具２支持部４各垂直孔４０，４０とによって高さ調節機構８としている。
【００５３】
（実施例２の作用・効果）
以上のとおりの構成からなるこの発明のバーベキュー網装置１は、図１９ないし図２７に示すように、脱着金具２挟着部３の水平基準面Ｄをバーベキューコンロ９の上向き開口縁９０上端に当接し、本体バイス３０と移動バイス３１との間に、バーベキューコンロ９の上向き開口縁９０を挟み込むよう組合せ、締めネジ３５の締め付けによって、図２０中の実線矢印に示すように、レバー部３６を介して本体バイス３０に対して移動バイス３１を押し付けるよう操作し、これによって脱着金具２を水平姿勢且つ強固に仮固定可能なものとなる。
【００５４】
図２８および図２９中の二点鎖線矢印で示しているとおり、回転機構７垂直軸７０および装着管７１を中心に、グリル部６を水平方向に回動移動するよう操作して、グリル部６をバーベキューコンロ９開口９０中央上から外れた位置まで移動することができる。
そして、図３０のように、高さ調節機構８高さ規制部８３を上方に跳ね上げた姿勢とし、支持骨格５の左右垂直柱５０，５０を、脱着金具２支持部４垂直孔４０，４０に装着すると、グリル部６をバーベキューコンロ９開口９０上の低支持高さｈに水平支持するものとすることができ、昇降用操作ハンドル５３を引き上げて、図３１に示すように、高さ調節機構８高さ規制部８３を下向き垂れ下げ姿勢として、水平支持部８４上に接地するように操作すると、グリル部６をバーベキューコンロ９開口９０上の高支持高さＨに水平支持することが可能である。
【００５５】
（結  び）
叙述の如く、この発明のバーベキュー網装置、およびそれを組み込んだバーベキューコンロは、その新規な構成によって所期の目的を遍く達成可能とするものであり、しかも製造も容易で、従前からのバーベキューコンロ関連技術に比較して大幅に小型・軽量化、且つ低廉化して遥かに経済的なものとすることができる上、保管性や輸送性を大幅に高めてシーズンオフ期間中の収納や保管、利用する際の屋外への運搬作業や組立作業などの負担を大幅に軽減することができ、さらに、従前までであればバーベキューコンロを買い換えなければ、得ることができなかった新機能を、既存のバーベキューコンロに組み込むだけで追加・実現できるものとなるから、ユーザーの経済的負担を大幅に削減することができ、キャンプやバーベキュー、芋煮会などの様々な屋外レジャーを、より経済的に楽しみたいと希望する一般家庭はもとより、レジャー用品業界およびアウトドア用品業界においても高く評価され、広範に渡って利用、普及していくものになると予想される。                                              
【符号の説明】
【００５６】
１      バーベキュー網装置
２      脱着金具
３      挟着部
３０    同  本体バイス
Ｄ    同  水平基準面
３１    同  移動バイス
３２    同  連結板部
３３    同  長孔
３４    同  ナット部
３５    同  締めネジ
３６    同  レバー部
３７    同  接合板
４      支持部
４０    同  垂直孔
Ｒ    同  所定半径
５      支持骨格
５０    同  垂直柱
５１    同  スリーブ
５２    同  アーム
５３    同  昇降用操作ハンドル
５４    同  回動用操作ハンドル
６      グリル部
６０    同  網枠
６１    同  掛止ピン
６２    同  焼き網
７      回転機構
７０    同  垂直軸
７１    同  装着管
８      高さ調節機構
８０    同  垂枝
８１    同  調節孔
８２    同  調節溝
８３    同  高さ規制部
８４    同  水平支持部
ｈ    同  低支持高さ
Ｈ    同  高支持高さ
９      バーベキューコンロ
９０    同  開口縁
９１    同  補強リブ
９２    胴  脚部                                                                                              
【要約】
【課題】  小型・軽量化して保管性や輸送性に秀れ、既存のバーベキューコンロにも幅広く組み込んで利用可能なものとし、より低廉にて満足できる付加機能を提供可能とする新たなバーベキュー用品技術を提供する。
【解決手段】  バーベキューコンロ９開口縁９０に着脱自在な挟着部３に、当該開口縁９０に当接可能な水平基準面Ｄを設け、該挟着部３に垂直孔４０を有する支持部４を設けた脱着金具２、該脱着金具２支持部４垂直孔４０に差込み可能とした垂直柱５０の上端がわからアーム５２を延伸した支持骨格５、および、該支持骨格５アーム５２に装着したグリル部６からなり、当該支持骨格５と支持部４との間に、グリル部６を垂直軸心回りに水平移動可能とする回転機構７を設けると共に、該支持骨格５と脱着金具２支持部４との間に、グリル部６の支持高さＨ（ｈ）を調節可能とする高さ調節機構８を組み込んでなるバーベキュー網装置１である。
【選択図】    図１【図１】
0005516921.tif 000002
【図２】
0005516921.tif 000003
【図３】
0005516921.tif 000004
【図４】
0005516921.tif 000005
【図５】
0005516921.tif 000006
【図６】
0005516921.tif 000007
【図７】
0005516921.tif 000008
【図８】
0005516921.tif 000009
【図９】
0005516921.tif 000010
【図１０】
0005516921.tif 000011
【図１１】
0005516921.tif 000012
【図１２】
0005516921.tif 000013
【図１３】
0005516921.tif 000014
【図１４】
0005516921.tif 000015
【図１５】
0005516921.tif 000016
【図１６】
0005516921.tif 000017
【図１７】
0005516921.tif 000018
【図１８】
0005516921.tif 000019
【図１９】
0005516921.tif 000020
【図２０】
0005516921.tif 000021
【図２１】
0005516921.tif 000022
【図２２】
0005516921.tif 000023
【図２３】
0005516921.tif 000024
【図２４】
0005516921.tif 000025
【図２５】
0005516921.tif 000026
【図２６】
0005516921.tif 000027
【図２７】
0005516921.tif 000028
【図２８】
0005516921.tif 000029
【図２９】
0005516921.tif 000030
【図３０】
0005516921.tif 000031
【図３１】
0005516921.tif 000032